(57)【特許請求の範囲】
【請求項１】
平板状をなす踏板と、同踏板の裏面から当該踏板に直交又は略直交して延設された蹴込板とより形成された構成体本体よりなり、前記踏板の表面に別の構成体本体の蹴込板の下端部を連結させることにより複数の構成体本体を連結して階段を形成する、合成樹脂材料により成形された階段構成体において、
前記踏板の表面に透水性又は浸水性を有する材料よりなるマット部が設けられ、
前記マット部は裏面が凹凸状をなすとともに該裏面に合成樹脂材料が入り込むことで前記踏板と一体成形されてなることを特徴とする階段構成体。
【請求項２】
前記踏板には、同踏板を貫通する透孔が形成されていることを特徴とする請求項１に記載の階段構成体。
【請求項３】
請求項１又は請求項２に記載の階段構成体を複数用い、階段構成体の踏板の表面に、別の階段構成体の蹴込板の下端部を連結させることにより形成される階段。
【発明の詳細な説明】
【０００１】
【発明の属する技術分野】
本発明は、例えば山間部における登山道や工事現場の斜面に階段を設置するための階段構成体及び同階段構成体よりなる階段に係り、詳しくは踏板における雨水の排水性を高めた階段構成体及び同階段構成体よりなる階段に関するものである。
【０００２】
【従来の技術】
従来より、例えば山間部における登山道や工事現場の傾斜面には、複数の階段構成体を連結して形成された階段が設置されている。このような階段として、例えば実公昭６３−３５０７２号公報に開示されたプレハブ式階段がある。この階段は、複数の階段構成体を連結することにより構成されている。前記階段構成体は再生プラスチックよりなる踏板としての踏み部と、蹴込板としての蹴込部と、蹴込部に対応して踏み部の後端縁に接続する取付部とを一体に形成して構成されている。前記階段構成体において、踏み部及び蹴込部はそれぞれ平板状に形成され、踏み部には鋼棒差込孔が穿設されている。
【０００３】
前記階段構成体により階段を形成するには、傾斜面において、踏み部の鋼棒差込孔から鋼棒を地表面に打ち込み、踏み部が水平となるように傾斜面に階段構成体を固定する。続いて、踏み部後方の取付部に第２段目に配置される階段構成体の蹴込部を内接させ、その蹴込部と取付部とにスクリュー釘を打ち込んで両者を固定する。また、第２段目の階段構成体においても上記と同様に鋼棒により傾斜面に固定する。そして、同様の作業を繰り返して複数の階段構成体同士を連結しながら傾斜面に固定することによりプレハブ式階段が形成される。
【０００４】
【発明が解決しようとする課題】
ところが、上記従来の階段構成体の踏み部は、厚形の再生プラスチックより平板状に形成されている。そのため、階段構成体の設置状態において踏み部表面に雨水が溜まってしまうという問題があった。
【０００５】
本発明は、上記従来技術に存在する問題点に着目してなされたものである。その目的とするところは、踏板表面に雨水が溜まる不具合を防止することができる階段構成体及び同階段構成体よりなる階段を提供することにある。
【０００６】
【課題を解決するための手段】
上記問題点を解決するために、請求項１に記載の発明は、平板状をなす踏板と、同踏板の裏面から当該踏板に直交又は略直交して延設された蹴込板とより形成された構成体本体よりなり、前記踏板の表面に別の構成体本体の蹴込板の下端部を連結させることにより複数の構成体本体を連結して階段を形成する、合成樹脂材料により成形された階段構成体において、前記踏板の表面に透水性又は浸水性を有する材料よりなるマット部が設けられ、前記マット部は裏面が凹凸状をなすとともに該裏面に合成樹脂材料が入り込むことで前記踏板と一体成形されてなることを要旨とする。
【０００７】
請求項２に記載の発明は、請求項１に記載の階段構成体において、前記踏板には、同踏板を貫通する透孔が形成されていることを要旨とする。
請求項３に記載の発明は、請求項１又は請求項２に記載の階段構成体を複数用い、階段構成体の踏板の表面に、別の階段構成体の蹴込板の下端部を連結させることにより形成されることを要旨とする。
【０００８】
【発明の実施の形態】
以下、本発明を具体化した階段構成体及び同階段構成体よりなる階段の一実施形態を図１〜図６に従って説明する。
【０００９】
図１に示すように、階段構成体１１はポリプロピレン製の踏板１２と、蹴込板１３とよりなる構成体本体１４を備え、前記踏板１２の表面に透水性を有する軟質材製のマット部１５が設けられたものである。
【００１０】
前記構成体本体１４を詳細に説明すると、踏板１２は平面視長方形状の平板状に形成されている。そして、踏板１２の裏面には、同踏板１２の一方の長辺側端縁から正面視長方形状の平板状をなす蹴込板１３が当該踏板１２に直交するように下方へ延設されて、図２に示すように、構成体本体１４は側面視横Ｌ字状に形成されている。
【００１１】
図１に示すように、前記マット部１５は平面視長方形状をなし、インサート成形法により踏板１２の保持凹所１２ｇに嵌入された状態で一体成形されている。また、マット部１５の両短辺側端面と、踏板１２の両短辺側端面とは面一となるように形成され、マット部１５の上面は踏板１２の上面より上方へ突出している。
【００１２】
このマット部１５は、軟質材として細分化された天然ゴムのチップ材をシート状に一体成形したもので、チップ材同士の間には微小な隙間が形成されている。また、マット部１５は天然ゴムより形成されているため、衝撃吸収性、滑り止め機能を有している。
【００１３】
踏板１２の表面において、他方の長辺側縁部には踏板１２の長辺方向へ延びる第１及び第２突条１２ａ，１２ｂが規制手段として互いに平行をなすように間隔をおいて突設されている。前記第２突条１２ｂは踏板１２の他方の長辺側端縁から同踏板１２に直交するように上方へ突設されている。
【００１４】
図２に示すように、第１及び第２突条１２ａ，１２ｂの間には、別の階段構成体１１の蹴込板１３の下端部が入り込む係止凹条１２ｃが形成されている。第１突条１２ａの上方への突出長さは、第２突条１２ｂの上方への突出長さより低くなるように第１及び第２突条１２ａ，１２ｂは形成されている。また、第１突条１２ａにおける係止凹条１２ｃ側の側面は、第１突条１２ａの先端から基端に向かうに連れて係止凹条１２ｃ内へ傾斜するテーパ状に形成されている。
【００１５】
図１に示すように、踏板１２の両短辺側において、前記第１突条１２ａよりも一方の長辺側には、踏板１２を貫通して固定孔１２ｄが穿設されている。そして、図１に破線に示すように、各固定孔１２ｄに挿入した固定部材１２ｅにより階段構成体１１を傾斜面Ｇに固定することができる。
【００１６】
図２〜図４に示すように、踏板１２及び蹴込板１３の裏面、即ち構成体本体１４の裏面のほぼ全体には、四角形状をなす凹部１６、１７、１８が複数箇所に凹設されている。図３に示すように、蹴込板１３の裏面には、凹部１６が蹴込板１３の短辺方向に沿って直列的に３箇所に凹設され、蹴込板１３の短辺方向に沿って延びる凹部１６の列が長辺方向へ２０列に形成されている。即ち、蹴込板１３の裏面には凹部１６が整列された状態で６０箇所に凹設されている。また、前記第２突条１２ｂの裏面にも凹部１６が第２突条１２ｂの長辺方向へ２０箇所に凹設されている。
【００１７】
蹴込板１３の下側３列及び第２突条１２ｂに凹設された凹部１６には、図２に示すように、蹴込板１３が鉛直方向へ延びるように階段構成体１１を設置した場合、鉛直方向に対して斜めに延びる斜状面１６ａが形成されている。そして、図６に示すように、踏板１２及び蹴込板１３が鉛直方向に対して斜めに延びるように階段構成体１１を成形したとき、各斜状面１６ａは鉛直方向へ延びるようになっている。
【００１８】
図２〜図４に示すように、構成体本体１４の裏面において、蹴込板１３の最上部から踏板１２に繋がるように凹設された凹部１７には、蹴込板１３が鉛直方向へ延びるように階段構成体１１を設置した場合、鉛直方向に対して斜めに延びる斜状面１７ａが形成されている。一方、図４に示すように、踏板１２の裏面には、凹部１８が踏板１２の短辺方向に沿って直列的に６箇所に凹設され、短辺方向に沿って延びる凹部１８の列が長辺方向へ２０列に形成されている。
【００１９】
即ち、踏板１２の裏面には凹部１８が整列された状態で１２０箇所に凹設されている。その結果、構成体本体１４の裏面全体には凹部１６〜１８が２２０箇所に凹設されている。そして、図２〜図４に示すように、凹部１８には蹴込板１３が鉛直方向へ延びるように階段構成体１１を設置した場合、鉛直方向に対して斜めに延びる斜状面１８ａが形成されている。
【００２０】
図２及び図４に示すように、凹部１７，１８には、踏板１２を貫通する透孔１２ｆが透設されている。これら透孔１２ｆは前記マット部１５の裏面の下側に位置するように透設されている。そして、マット部１５を透過した水分が透孔１２ｆを通過して踏板１２の裏面から排出されるようになっている。前記各透孔１２ｆは、凹部１７，１８の斜状面１７ａ、１８ａの延びる方向に対して平行に延びるように透設されている。
【００２１】
図２〜図４に示すように、踏板１２の裏面において、蹴込板１３側端部から蹴込板１３の裏面の上端部にかけて補強リブ１９が架設されている。この補強リブ１９は踏板１２及び蹴込板１３の長辺方向に沿って間隔をおいて５箇所に形成されている。
【００２２】
次に、上記階段構成体１１の成形方法について説明する。
図５及び図６に示すように、階段構成体１１を成形する金型２０は、固定型２１（図５及び図６では下側）とその固定型２１に対して移動可能に設けられた可動型２２（図５及び図６では上側）とより構成されている。固定型２１には階段構成体１１の裏面側を成形するための成形凹部２１ａが形成され、その成形凹部２１ａの内底面には上方へ向かうに連れて尖る突部２１ｂが突出形成されている。
【００２３】
突部２１ｂの一側面（図５及び図６では左側面）には、階段構成体１１の成形時、蹴込板１３の裏面側が対応し、構成体本体１４の凹部１６を成形するための凸部２４が３列に突設されている。固定型２１を水平面上に設置した場合、凸部２４には鉛直方向へ延びる鉛直面２４ａが形成され、それら鉛直面２４ａにより前記凹部１６の斜状面１６ａが成形される。
【００２４】
一方、突部２１ｂの頂部には、階段構成体１１の成形時、蹴込板１３と踏板１２との交差部が対応し、蹴込板１３の上部から踏板１２に繋がる凹部１７を成形するための凸部２５が形成されている。各凸部２５には、固定型２１を水平面上に設置した場合、鉛直方向へ延びる相対向する一対の鉛直面２５ａが形成され、それら鉛直面２５ａにより前記凹部１７の斜状面１７ａが成形される。また、各凸部２５には凹部１７における透孔１２ｆを成形するための突出部２５ｂが突設され、この突出部２５ｂは固定型２１を水平面上に設置した場合、鉛直方向へ延びるように形成されている。
【００２５】
加えて、突部２１ｂの他側面（図５及び図６では右側面）には、階段構成体１１の成形時、踏板１２の裏面に対応し、踏板１２の凹部１８を成形するための凸部２６が６列に突設されている。前記各凸部２６には、固定型２１を水平面上に設置した場合、鉛直方向へ延びる鉛直面２６ａが形成され、それら鉛直面２６ａにより凹部１８の斜状面１８ａが成形される。また、凸部２６には凹部１８における透孔１２ｆを成形するための突出部２６ｂが突設され、この突出部２６ｂは固定型２１を水平面上に設置した場合、鉛直方向へ延びるように形成されている。
【００２６】
階段構成体１１の成形時、第２突条１２ｂの裏面側に対応する位置には、第２突条１２ｂの裏面の凹部１６を成形するための凸部２４が突設されている。前記各凸部２４には、固定型２１を水平面上に設置した場合、鉛直方向へ延びる鉛直面２４ａが形成されている。
【００２７】
前記可動型２２には階段構成体１１の上側を成形するための成形凹部２２ｂが形成され、その成形凹部２２ｂにはマット部１５を保持するための保持凹部２２ａが凹設されている。そして、図６に示すように、固定型２１と可動型２２とを型締めすると、成形凹部２１ａと成形凹部２２ｂとに囲まれた空間に階段構成体１１に対応するキャビティ２３が形成されるようになっている。このキャビティ２３は、鉛直面２４ａ〜２６ａにより斜状面１６ａ〜１８ａを成形可能とするため、階段構成体１１の成形時、斜状面１６ａ〜１８ａが鉛直方向へ延びるように踏板１２及び蹴込板１３が鉛直方向に対して斜めに延びるように形成されている。
【００２８】
この金型２０において、可動型２２には、キャビティ２３と可動型２２の外部とを連通するように連通孔（図示せず）が貫通形成され、この連通孔からキャビティ２３内にスライドコア２８（図６に破線に示す）が挿入されるようになっている。このスライドコア２８により階段構成体１１の固定孔１２ｄが成形される。
【００２９】
次に、上記金型２０を使用した階段構成体１１の成形方法について説明する。まず、図６に示すように、固定型２１と可動型２２とを型締めする。それと同時に、スライドコア２８をキャビティ２３内に進出させる。また、保持凹部２２ａ内には予めシート状に成形されたマット部１５が保持されている。このとき、凸部２５の突出部２５ｂ及び凸部２６の突出部２６ｂがマット部１５の裏面に当接し、保持凹部２２ａの内面と突出部２５ｂ，２６ｂとの間にマット部１５が挟持される。
【００３０】
その後、金型２０の外部に設置されたノズル（図示せず）からゲート（図示せず）を介してキャビティ２３内に階段構成体１１を成形するための加熱溶融された合成樹脂材料が射出される。このとき、マット部１５はチップ材を一体成形して形成されているため、マット部１５の裏面は凹凸状になっている。そのため、加熱溶融された合成樹脂材料はマット部１５の凹状となる位置に入り込む。また、マット部１５は保持凹部２２ａの内面と突出部２５ｂ，２６ｂとに挟持されているため、流動する合成樹脂材料により移動することがなく、踏板１２の所定位置にマット部１５が一体成形される。
【００３１】
そして、加熱溶融された合成樹脂材料を冷却、硬化させた後、スライドコア２８を後退させ、さらに可動型２２を移動させて型開きする。そして、成形凹部２１ａから成形された階段構成体１１を鉛直方向へ型抜きすることにより階段構成体１１が得られる。このとき、階段構成体１１の凹部１６〜１８の斜状面１６ａ〜１８ａが鉛直方向へ延びるように階段構成体１１が斜めに成形されるため、鉛直方向へ抜かれる階段構成体１１に対して凸部２４〜２６が引っかかることがない。
【００３２】
次いで、上記階段構成体１１を使用して傾斜面Ｇに階段Ｋを形成する場合について説明する。
例えば、山間部の斜面に階段Ｋを形成する場合、まず、その現場に複数個の階段構成体１１が運搬される。このとき、階段構成体１１は多数の凹部１６〜１８により肉盗みされているため、凹部１６〜１８が凹設されていない場合と比較して階段構成体１１が軽量化されている。
【００３３】
さて、階段Ｋを形成するには、まず、図２に示すように、傾斜面Ｇの地表面を削り取って水平面状に整地した後、蹴込板１３の下端面をその水平面上に接地させる。さらに、踏板１２の第２突条１２ｂ側下端縁を傾斜面Ｇに接地させるとともに、踏板１２が水平となるように階段構成体１１を傾斜面Ｇに配置させる。
【００３４】
次に、固定孔１２ｄから傾斜面Ｇに固定部材１２ｅを固定して、同傾斜面Ｇに階段構成体１１を固定する。そして、その階段構成体１１に対して複数の階段構成体１１を長辺方向へ延びるように隣接させていき、一段目を形成する。
【００３５】
続いて、一段面の階段構成体１１の踏板１２表面の係止凹条１２ｃ内に二段目を形成する別の階段構成体１１の蹴込板１３の下端面を配置し、第２突条１２ｂの内側面に蹴込板１３の下端側外面を係止させて階段構成体１１同士を連結する。このとき、第１突条１２ａは係止凹条１２ｃ内方へ傾斜しているため、蹴込板１３の下端面が係止凹条１２ｃ内へ速やかに案内される。
【００３６】
さらに、一段目と同様に踏板１２の第２突条１２ｂ側下端縁を傾斜面Ｇに接地させ、固定部材１２ｅにより傾斜面Ｇに階段構成体１１を固定する。そして、以下、上記と同様に別の階段構成体１１を長辺方向へ延びるように隣接させて二段面を形成し、さらに、階段構成体１１の上方へ連結させて複数の階段構成体１１を複数段に連結することにより傾斜面Ｇに階段Ｋが形成される。
【００３７】
階段Ｋの設置状態において、雨が降った場合、マット部１５上への雨はチップ材同士の間を通過してマット部１５の裏面へと排水される。さらに、その雨は透孔１２ｆから凹部１６，１７を通過して踏板１２の裏面から階段構成体１１外へ排水される。
【００３８】
加えて、マット部１５は天然ゴム製であるため、ポリプロピレン製の踏板１２表面が露出している場合と比較して、マット部１５表面と通行人の靴底との間の摩擦抵抗が大きくなり滑りにくくなる。また、マット部１５を通行人が踏んだときに、天然ゴムにより衝撃が吸収される。
【００３９】
上記実施形態によれば、以下のような特徴を得ることができる。
（１）踏板１２の表面に天然ゴムのチップ材を一体成形したマット部１５を設けた。そのため、雨水をマット部１５内を通過させてマット部１５の表面から裏面へ排水させることができる。従って、踏板１２が再生プラスチックより形成されていた従来と異なり、踏板１２における排水性を高めて踏板１２表面に雨が溜まってしまうといった不具合をなくすことができる。その結果、降雨時、通行人が踏板１２を踏み込んだとき、雨が跳ねたり、靴に雨が染み込んだりするといった不具合をなくすことができる。
【００４０】
（２）マット部１５は天然ゴムより形成され、階段構成体１１には多数に凹部１６〜１８が凹設されているため、階段構成体１１全体の軽量化を図ることができる。従って、階段構成体１１の設置場所への運搬作業の負担を軽減することができるとともに、階段構成体１１を形成するための材料の節約を図ることができる。また、構成体本体１４はポリプロピレンにより形成され、マット部１５は天然ゴムにより形成されている。そのため、例えば構成体本体１４が金属材料より形成され、マット部１５が天然ゴムにより形成されている場合と異なり、構成体本体１４とマット部１５とを分離することなく粉砕等して再生材として利用することができる。
【００４１】
（３）マット部１５の短辺側端面と踏板１２の短辺側端面とは面一となっているため、マット部１５の裏面側へ排水された雨をマット部１５を伝わせて踏板１２の短辺側から踏板１２外へ排水することができる。従って、マット部１５と踏板１２との間に雨水が滞留し、マット部１５が踏板１２から浮き上がったりするおそれをなくすことができる。
【００４２】
（４）マット部１５の裏面の凹状となる位置には踏板１２の合成樹脂材料が食い込んだ状態で成形され、さらに、マット部１５は保持凹所１２ｇ内にはめ込まれるように一体成形されている。そのため、通行人の階段Ｋの昇降により、マット部１５を移動させるような応力が作用しても、マット部１５の踏板１２の一方又は他方の長辺方向への移動を規制することができ、通行人の階段Ｋの昇降が妨害されるおそれをなくすことができる。
【００４３】
（５）マット部１５は天然ゴム製であるため、マット部１５に滑り抑制機能、衝撃吸収機能を発揮させて通行人の階段Ｋの昇降を補助することができる。
（６）踏板１２から蹴込板１３にかけて補強リブ１９が複数箇所に形成されている。そのため、構成体本体１４の曲げ成形された位置の強度を高めることができ、階段Ｋに作用する荷重による階段構成体１１の変形、ひいては階段Ｋの変形を防止することができる。
【００４４】
（７）踏板１２には下方へ延びる透孔１２ｆが形成されているため、マット部１５を通過した雨を踏板１２の裏面から階段構成体１１外へ効率よく排水することができる。
【００４５】
（８）階段Ｋにおいて、蹴込板１３の下端部と第１及び第２突条１２ａ，１２ｂとの係止により二段目以上の階段構成体１１の移動を規制して階段Ｋ全体の移動やずれを防止することができる。
【００４６】
（９）第１突条１２ａにより踏板１２上面のごみ等が係止凹条１２ｃ内に溜まるといった不具合を防止することができる。従って、階段Ｋの美観の低下を防止することができる。また、ごみ等により蹴込板１３の下端面が係止凹条１２ｃ内から浮き上がり、階段構成体１１同士の連結が弱くなるおそれを無くすことができる。
【００４７】
（１０）階段構成体１１は凹部１６〜１８における各斜状面１６ａ，１７ａ，１８ａが鉛直方向へ延びるように階段構成体１１が斜めに延びる状態で成形される。そのため、階段構成体１１の金型２０からの型抜きの際、凹部１６〜１８がアンダーカットとならず、型抜き作業を円滑に行うことができる。また、蹴込板１３が鉛直方向へ延びるように階段構成体１１を成形し、凹部１６〜１８をスライドコアを使用して成形する場合と比較して金型２０の構成を簡易化することができる。
【００４８】
（１１）階段構成体１１の成形の際、突出部２５ｂ、２６ｂと可動型２２の保持凹部２２ａとの間にマット部１５を挟持することができる。従って、突出部２５ｂ、２６ｂにより透孔１２ｆの成形機能と、マット部１５の挟持機能を発揮させることができ、各機能を別々に設ける場合と比較して金型２０の構成の簡易化を図ることができる。
【００４９】
（１２）マット部１５はインサート成形法により踏板１２と一体成形されている。そのため、踏板１２とは異素材であり、軟質性の天然ゴムよりなるマット部１５を踏板１２に確実に一体成形することができる。
【００５０】
（１３）マット部１５は踏板１２の上面より上方へ突出するように設けられている。そのため、マット部１５の上面が踏板１２の上面より下側に位置するように形成されている場合と異なり、通行人の階段Ｋの昇降の際に、保持凹所１２ｇに掛止するおそれをなくすことができる。
【００５１】
なお、上記実施形態は以下のように変更してもよい。
・  実施形態では、凸部２４〜２６を使用して階段構成体１１に凹部１６〜１８を成形したが、蹴込板１３が鉛直方向へ延びるように階段構成体１１を成形し、凹部１６〜１８をスライドコアを使用して成形してもよい。
【００５２】
・  実施形態では、固定孔１２ｄをスライドコア２８を使用して成形したが、スライドコア２８の代わりに置き入れ子を使用して固定孔１２ｄを成形し、階段構成体１１を型抜きした後、置き入れ子を取り除いてもよい。
【００５３】
・  二色成形法によりマット部１５を踏板１２に一体成形してもよい。
・  実施形態では、踏板１２に規制手段としての第１及び第２突条１２ａ，１２ｂを形成し、別の階段構成体１１の蹴込板１３の下端部を係止させて移動を規制するように形成したが、以下のように変更してもよい。例えば、第１及び第２突条１２ａ，１２ｂを省略するとともに、踏板１２の表面を、同踏板１２の長辺方向に沿って延びるように凹設する。そして、その凹設された位置の内側面を規制手段として、別の階段構成体１１の蹴込板１３を係止させてもよい。また、第１及び第２突条１２ａ，１２ｂを省略して係止凹条１２ｃを省略してもよい。
【００５４】
・  実施形態では、踏板１２、第２突条１２ｂ及び蹴込板１３の裏面に凹部１６〜１８を形成したが、踏板１２、第２突条１２ｂ及び蹴込板１３の少なくともいずれか一つの凹部１６〜１８を省略してもよい。
【００５５】
・  踏板１２に形成された凹部１６，１７の全てに踏板１２を貫通する透孔１２ｆを形成してもよい。このように構成した場合、マット部１５を通過した雨を踏板１２の裏面からより一層効率よく排水することができるとともに、階段構成体１１の軽量化をより一層図ることができる。また、実施形態では、踏板１２に透孔１２ｆを形成したが、透孔１２ｆを省略してもよい。
【００５６】
・  実施形態では、マット部１５の短辺側端面と踏板１２の短辺側端面とが面一となるよう階段構成体１１を形成したが、マット部１５の短辺側端面が踏板１２の短辺側端面より内側に位置するように形成してもよい。
【００５７】
・  実施形態では、マット部１５を透水性を有する材料として天然ゴムのチップ材により形成したが、マット部１５を合成ゴム製のチップ材をシート状に一体成形したものを使用してもよい。また、マット部１５として熱可塑性エラストマー、弾性繊維、発泡体等のチップ材をシート状に一体成形したものを使用してもよい。また、水と親和性を有する材料、即ち浸水性を有する材料、例えば硫酸基、スルホン酸基、リン酸基、カルボン酸基、アンモニウム基、ヒドロキシル基、アミド基を有する浸水性樹脂材料によりマット部１５を形成してもよい。このように構成した場合も、マット部１５と水分とが馴染み、踏板１２表面に雨水が溜まる不具合を防止することができる。
【００５８】
・  実施形態では、傾斜面Ｇに複数の階段構成体１１を設置して階段Ｋを形成したが、平地に階段構成体１１の短辺側両側部を支持する支持枠を立設し、その支持枠に階段構成体１１を支持させながら階段構成体１１同士を連結して階段Ｋを形成してもよい。
【００５９】
・  実施形態では、第１及び第２突条１２ａ，１２ｂに別の階段構成体１１の蹴込板１３の下端部を係止させて移動を規制するように連結したが、以下のように変更してもよい。例えば、係止凹条１２ｃ内に挿入された別の階段構成体１１の蹴込板１３の下端部に第１突条１２ａからスクリュー釘を打ち込んで階段構成体１１同士を連結してもよい。
【００６０】
・  実施形態では、踏板１２の一方の長辺側端縁から蹴込板１３を延設したが、踏板１２の一方の長辺側端縁より踏板１２の内方へずれた位置又は踏板１２を長辺方向に二等分する踏板１２の中心線から蹴込板１３を延設してもよい。
【００６１】
・  また、蹴込板１３を踏板１２の裏面から平板状に延設したが、踏板１２の両短辺側の裏面から間隔をおいてそれぞれ蹴込板１３を延設してもよく、踏板１２の裏面から櫛状に蹴込板１３を延設してもよい。
【００６２】
・  実施形態では、踏板１２の他方の長辺側縁部に、別の階段構成体１１の蹴込板１３の下端部を連結したが、別の階段構成体１１の蹴込板１３の下端部が連結される踏板１２の表面の位置を任意に変更してもよい。例えば、第１及び第２突条１２ａ，１２ｂを踏板１２の中央よりに形成し、その第１及び第２突条１２ａ，１２ｂの間に別の階段構成体１１の蹴込板１３の下端部を連結してもよい。
【００６３】
・  実施形態では、ポリプロピレンにより構成体本体１４を形成したが、ポリプロピレンとポリエチレンとからなる合成樹脂材料により構成体本体１４を形成してもよく、再生合成樹脂材料により構成体本体１４を形成してもよい。
【００６４】
・  実施形態では、蹴込板１３を踏板１２に対して直交するように形成したが、蹴込板１３を踏板１２に対して略直交するように若干傾斜させてもよい。
次に上記実施形態及び別例から把握できる技術的思想について、それらの効果とともに以下に追記する。
【００６５】
（１）前記踏板及び蹴込板の裏面には多数箇所に凹部が凹設されていることを特徴とする階段構成体。このように構成した場合、多数の凹部により踏板及び蹴込板を肉盗みして構成体本体の軽量化を図ることができ、構成体本体の設置場所への運搬作業の負担を軽減することができる。また、構成体本体を形成するための材料の節約を図ることができる。
【００６６】
（２）前記構成体本体は前記踏板及び蹴込板を鉛直方向に対して斜めに延びるように成形するキャビティが形成された金型を使用して成形され、構成体本体を金型から型抜きする際、前記凹部がアンダーカットとなるのを防止すべく凹部は構成体本体の成形時に鉛直方向へ延びるように踏板及び蹴込板に対して斜めに延びる斜状面を備えていることを特徴とする前記技術的思想（１）に記載の階段構成体。このように構成した場合、構成体本体の金型からの型抜きの際、凹部がアンダーカットとならず、型抜き作業を円滑に行うことができる。また、蹴込板が鉛直方向へ延びるように構成体本体を成形し、凹部をスライドコアを使用して成形する場合と比較して金型の構成を簡易化することができる。
【００６７】
（３）前記踏板の表面には、別の構成体本体の蹴込板の下端部が係止し、当該別の構成体本体の踏板の表面に沿った移動を規制する規制手段が形成されていることを特徴とする前記技術的思想（１）及び（２）のいずれか一項に記載の階段構成体。このように構成した場合、構成体本体の上段に位置する別の構成体本体の踏板表面に沿った移動を規制して階段全体の移動やずれを防止することができる。
【００６８】
（４）前記踏板及び蹴込板は合成樹脂材料により成形され、踏板とは異素材のマット部がインサート成形法により踏板と一体成形されていることを特徴とする前記技術的思想（１）〜（３）のいずれか一項に記載の階段構成体。このように構成した場合、透水性又は浸水性を有するマット部を踏板に一体成形することができる。
【００６９】
（５）平板状をなす踏板と、同踏板の裏面から当該踏板に直交又は略直交して延設された蹴込板とより形成された構成体本体よりなり、前記踏板の表面に透水性又は浸水性を有する材料よりなるマット部が設けられているとともに、前記踏板及び蹴込板の裏面には多数箇所に凹部が凹設され、前記踏板の表面に別の構成体本体の蹴込板の下端部を連結させることにより複数の構成体本体を連結して階段を形成する階段構成体の製造方法であって、前記踏板及び蹴込板を鉛直方向に対して斜めに延びるように成形するキャビティが形成されているとともに、固定型には前記凹部を成形する凸部が設けられ、当該凸部に階段構成体の型抜きの際に凹部がアンダーカットとなるのを防止すべく鉛直方向へ延びる面が形成された金型を用い、キャビティ内にマット部をインサートした状態で踏板及び蹴込板を形成する合成樹脂材料を射出し、その合成樹脂材料が硬化した後、型抜きすることにより階段構成体を得ることを特徴とする階段構成体の製造方法。このように構成した場合、構成体本体の金型からの型抜きの際、凹部がアンダーカットとならず、型抜き作業を円滑に行うことができる。
【００７０】
【発明の効果】
以上、詳述したように、請求項１に記載の発明によれば、踏板表面に雨水が溜まる不具合を防止することができる。
【００７１】
請求項２に記載の発明によれば、請求項１に記載の発明の効果に加え、踏板における雨水の排水性を高めることができる。
請求項３に記載の発明によれば、踏板表面に雨水が溜まる不具合を防止することができる。
【図面の簡単な説明】
【図１】実施形態の階段構成体より形成された階段を示す部分斜視図。
【図２】実施形態の階段を示す図１の２−２線断面図。
【図３】実施形態の階段構成体を示す背面図。
【図４】実施形態の階段構成体を示す底面図。
【図５】階段構成体成形用の金型を模式的に示す断面図。
【図６】金型を使用して階段構成体を成形する状態を模式的に示す断面図。
【符号の説明】
Ｋ…階段構成体よりなる階段、１１…階段構成体、１２…踏板、１２ｆ…透孔、１３…蹴込板、１４…構成体本体、１５…マット部。
【図１】
0003971209.tif 000002
【図２】
0003971209.tif 000003
【図３】
0003971209.tif 000004
【図４】
0003971209.tif 000005
【図５】
0003971209.tif 000006
【図６】
0003971209.tif 000007